(57)【要約】既存の装置を改良して、スライディングドアをできるだけ簡単にロック及びロック解除できるスライディングドアシステムを提供することを目的とし、  スライディングドアは、ローラに支持されるキャリッジにより、固設したガイドレールに対し平行に移動可能とし、ガイドレール上に電気機械式ユニットを備え、外部よりの制御信号が存在している時に、ボルトによりキャリッジをロック可能とし、ボルトは電気機械式ユニットの前面開口よりキャリッジのあなに挿入するものである。電気機械式ユニットの下側に、スリット状開口部を設け、この開口部よりピンを突設しており、該スリット状開口部の長手方向に沿った該ピンの動きにより、ボルトを機械式に収縮させる。
2006509935.tif 000002
【特許請求の範囲】
【請求項１】
壁または天井下方に固定したＵ字断面状の滑走レールに対して平行な二つの端面を有する、少なくとも一つのキャリッジをローラ上に支持し、該キャリッジによりスライディングドアを移動可能とし、該キャリッジと該スライディングドアを、該滑走レール内の隙間を貫通する接続要素にて接続するものとした、スライディングドア閉装置において、
該滑走レールに電気機械式ユニットを取り付けており、該電気機械式ユニットは、ロック作動を起こす外部よりの制御信号により、ボルトを用いて少なくとも一つのキャリッジをブロック可能としており、該ボルトは該電気機械式ユニットの金属ハウジングの一端面における円形開口から直角方向に延設され、終端位置にて該キャリッジの二つの側面の一つに設けたあなとともに該滑走レール内の孔に挿入するよう寸法設定されており、該電気機械式ユニットはハウジングの底部にピンが延び出たスリット状の開口部を有しており、該スリット状開口部の長手方向に沿ったピンの移動により、前記ボルトを機械的に引っ込めるものとしたことを特徴とするスライディングドア閉装置。
【請求項２】
少なくとも一つの力発生手段を設け、該力発生手段は、前記ボルトが待機位置から外れた時にボルトに作用する力を発生させ、該ボルトに作用する力の向きは、スプールより該ボルトが突出する方向と反対の方向としていることを特徴とする請求項１記載のスライディングドア閉装置。
【請求項３】
前記ボルトが待機位置より外れた時に該ボルトに作用する力が弾性力であることを特徴とする請求項１または２に記載のスライディングドア閉装置。
【請求項４】
外部よりの制御信号として定電流を用いることを特徴とする請求項１記載のスライディングドア閉装置。
【請求項５】
前記電気機械式ユニット内に設けたスプールに定電流を供給し、ロレンツ力により、該スプールの内側に配置された前記ボルトを、該スプールの外に部分的に突出させることを特徴とする請求項１乃至４のいずれかに記載のスライディングドア閉装置。
【請求項６】
前記スライディングドアの手動ロック解除ピンに、螺子溝を設け、該螺子溝により該ピンを延長するために該手動ロック解除手段を作動する追加手段を取り付けることを特徴とする請求項１記載のスライディングドア閉装置。
【請求項７】
前記キャリッジは、コンパクトな本体の前後にて、両端にローラの付いた車軸を二つ有し、該本体に、その長手方向に沿って、扇形状の切欠を設け、その扇形状は、前記ローラの直径の大きさに応じた円の直径により決まることを特徴とする請求項１記載のスライディングドア閉装置。
【請求項８】
キャリッジに複数のローラを取り付け、各ローラを、該キャリッジの矩形体内に延設し、該複数のローラの外面と該矩形体の切欠との間の隙間を１ｍｍ乃至３０ｍｍとしたことを特徴とする請求項１乃至７のいずれかに記載のスライディング閉装置。
【請求項９】
前記キャリッジの底部に、内側に延伸する螺子溝を設け、これにより、前記スライディングドアに取り付けた前記接続要素を、螺子状の接続部材を介して該キャリッジに対し、恒常的かつ確実に当接させることを特徴とする請求項１乃至８のいずれかに記載のスライディング閉装置。
【請求項１０】
少なくとも一つのキャリッジの自由度を、前記滑走レールに沿って取り付けた少なくとも一つの端片により制限することを特徴とする請求項１乃至９のいずれかに記載のスライディング閉装置。
【請求項１１】
前記滑走レールのＵ字状の輪郭における二つの長手側のうちの一つに設けた孔を用いて、キャリッジの水平度の自由度を制限する前記端片を、該滑走レール沿いの任意の位置に取り付けることを特徴とする請求項１０記載のスライディング閉装置。
【請求項１２】
前記滑走レールはアルミニウムでできていることを特徴とする請求項１乃至１１のいずれかに記載のスライディング閉装置。
【請求項１３】
前記滑走レールは、アングルブラケットの締結により、負荷支承要素に取り付けられることを特徴とする請求項１乃至１２のいずれかに記載のスライディング閉装置。
【請求項１４】
前記滑走レールに沿って、少なくとも二つのアングルブラケットを、前記キャリッジの選択した端点に締結し、これにより、前記端片を該アングルブラケット上に位置決めすることを特徴とする請求項１乃至１２のいずれかに記載のスライディング閉装置。
【請求項１５】
前記スライディングドア下方の底部に、少なくとも一つのキャリッジを有する第二滑走レールを設けていることを特徴とする請求項１乃至１４のいずれかに記載のスライディング閉装置。
【請求項１６】
前記スライディングドアにより分けられる空間が、商用空間、公共施設、事務所、居住部屋、或いは動物飼育用の隔離空間であることを特徴とする請求項１乃至１５のいずれかに記載のスライディング閉装置。
【請求項１７】
前記スライディングドアの材料として、ガラス、木材、プラスチック、金属、防犯材、防火材、混合材のうちの一以上よりなることを特徴とする請求項１乃至１６のいずれかに記載のスライディング閉装置。
【請求項１８】
滑走レールに沿って、少なくとも一つのキャリッジによりスライディングドアを移動可能とする、スライディングドア閉方法であって、該キャリッジに取り付けた磁石にて電気機械式ユニット内に電圧を発生させることにより、少なくとも一つのキャリッジをボルトにてブロックするロック作動を引き起し、これにより、該電気機械式ユニット内に設けたスプールに定電流を供給し、発生するロレンツ力により、該スプールの内側に配置したボルトを、少なくとも部分的に、該スプールの外側に突出し、終端位置にて、該ボルトを、該キャリッジのあなとともに該滑走レールの孔に挿入させることを特徴とするスライディングドア閉方法。
【請求項１９】
前記ボルトが待機位置から外れた時に該ボルトに付与する力を発生させ、該力の向きを、該ボルトの前記スプールからの突出方向と逆向きとすることを特徴とする請求項１８記載のスライディングドア閉方法。
【請求項２０】
前記制御信号がないことによりスライディングドアのロックを解除し、これにより、前記ボルトを、弾性力を受けている状態で待機位置に復帰させることを特徴とする請求項１８もしくは１９に記載のスライディング閉方法。
【発明の詳細な説明】
【技術分野】
【０００１】
本発明は、スライディングドア閉装置に関するものであって、好ましくはガラス製のスライディングドアを閉じるための装置に関する。
【０００２】
更に、本発明は、スライディングドアの閉方法に関する。
【背景技術】
【０００３】
特許文献１には、滑走ガイドレール上を水平に移動可能であって、ローラに支持されるスライディングドアが記述されている。この文献において、スライディングドアにはボルトが備えられており、その一端面がストッパとして構成されていて、スライディングドアを閉じる時にボルトを移動させて、スライディングドアに設けた押止部に当接させるものとしている。スライディングドアの上端には、二段階の掛止要素の受け部が設けられていて、この掛止要素は、滑走ガイドレールの凹部内の芯棒に係合可能となっている。スライディングドアを閉じる際にボルトがドアに当接すると、ドアの内側にて、ボルトに接続された制御棒が長手方向に摺動して、予めバネで引っ張っておいた該芯棒を解放する。こうして、芯棒が鉛直上方に移動し、前記凹部内のロック位置まで摺動する。ドアの正面に配置した別個のハンドルを用いると、芯棒がドアに戻って、芯棒に取り付けた前記バネの引っ張り作用を引き起し、同時に、ボルトがドアのフレームに押されて、ドアが開放可能となる。
【０００４】
特許文献２には、引き窓、スライディングドア、機械部品等の摺動を案内する滑走ギアが記述されている。この滑走ギアには、Ｕ字状の滑走レール内にて案内されるキャリッジが備えられており、一方、エラストマー材を介してキャリッジに設けた軸受要素にてトラニオン軸が防振支持されており、このトラニオン軸にて、引き窓やスライディングドアや機械部品を該キャリッジに固定している。該軸受要素は、これに適合するキャリッジに対し、移動可能となっていて、該キャリッジの横方向の孔内に設けた軸受ボルトを有し、この軸受ボルトの外周を少なくとも一つのエラストマー材にて囲むものとしている。このキャリッジの推奨例においては、二つのエラストマー材により、該トラニオンの両側にて、該横方向の孔内の軸受ボルトを支持するものとしている。
【０００５】
特許文献３には、緊急用の開機構又は閉機構を設けたスライディングドアが開示されている。このスライディングドアには二つの引き板部が設けられており、これらの引き板部が、水平延伸状のガイドレールに沿って、二つのローラのそれぞれに載って移動する。このガイドレールの上方には、螺旋バネを設けており、その一側を固定し、他側を、駆動キャリッジを保持する電機子に取り付けており、この電機子を用いて、固定した電磁石と協働するようにしている。この二つのスライディングドアの引き板部は、駆動モータにより、互いに反対方向に駆動され、一方の引き板部で両引き板部を閉じる間、つるまきバネが引っ張られる。駆動キャリッジは該引き板部に取り付けた押止部に作用して、つるまきバネに張力を与える。
【０００６】
停電等の非常事態においては、電機子が電磁石より解磁され、駆動キャリッジが、押止部を介して、螺旋バネを引っ張っている引き板部に作用し、ギア歯を設けたベルト及び鋼線を介して、もう一つの引き板部に作用し、両引き板部を開位置へと引くのである。
【０００７】
特許文献４においては、シャワーの仕切り等に用いるスライディングドアの案内システムが開示されている。このシステムは、硬質のガイド要素を用いて、該ガイド要素を滑走溝に掛止し、また、該滑走溝から外す際の、少なくとも一つのドア片の動きを、構造上、また、取り扱い上において、簡単にしている。この目的のため、薄膜状のヒンジを取付脚部と滑走溝との間に配設して、内側・外側に弾動可能とした外郭部を、両位置のいずれかでロック可能としている。
【０００８】
特許文献５には、他の駆動システムを用いない作動機構を追設し、その作動部材を作動させる仕組みの、自動引き板またはドアシステムが記述されている。この引き板またはドアシステムの少なくとも一つの引き板が閉じ位置に達すると、引き板の移動方向と平行に配置されて引き板に常時装着された駆動ユニットまたは伝動ユニットが、閉じ方向における所定距離を越えて移動可能としている。この追設した作動機構を作動または切り換えるため、調節滑走路を追設している。また、該作動機構には、これを手動で作動または切り換えるためのレバー機構が設けられている。
【０００９】
特許文献６に開示のスライディングドアの取り付け装置は、特にガラスドアに用いることができる。ここでは、天井構造体の下方に外郭棒体を取り付け固定し、ローラに載ってキャリッジが移動できるように、滑走レールを該外郭棒体に取り付けている。一方、キャリッジは、該キャリッジの滑走方向に対し直交方向に作動するガラス製ヒンジを用いてガラスドアに接続される。必要とされる機能に応じて、異なったロック手段により、滑走レールからキャリッジが外れないようにしている。これらの手段の全てに共通に、キャリッジに設けたボルトを停止レール直下にて把持し、該ボルトを機械的に案内する駆動ピンに肩部を設け、該肩部に該駆動ピンを掛止可能としている。このロック手段を開閉すべく、水平面上にて該ボルトを該停止レールに対し進退させる。
【００１０】
特許発明７には、水平なガイドレールに沿って移動可能な窓要素またはドア要素のためのスライドシャッタを記述している。ガイドレールは好ましくは壁内に装着しており、スライドシャッタの低摩擦動を実現すべく、該シャッタに取り付けたローラを用いる。スライドシャッタには本来、二つの終端位置が用意されており、スライドドアが窓要素またはドア要素の正面にて完全に摺動した状態を第一終端位置に到達したものとし、該窓に完全に隣接した状態になった時に第二終端位置に到達したものとしている。スライドシャッタがこの二つの終端位置のいずれかにある時、ボルトが電磁作動して、適宜位置にてスライドシャッタをロックし、ここで、ボルトの軸芯は、摺動方向と直交方向する方向に延伸しており、スライドシャッタのわずかに残る自由度を排除する。
【特許文献１】独国特許出願公開第１０１０７０２８号明細書
【特許文献２】独国特許出願公開第３６０２４４０号明細書
【特許文献３】独国特許発明第１９５３３１５３号明細書
【特許文献４】独国特許発明第４１０６１１７号明細書
【特許文献５】独国特許発明第１９９０８１９１号明細書
【特許文献６】独国特許出願公開第１９５３９０１４号明細書
【特許文献７】独国特許発明第１９５３１０４０号明細書
【発明の開示】
【発明が解決しようとする課題】
【００１１】
公知のスライディングドアでは、スライディングドア本来の機能のために必要な外的要因の変数が欠損した時に、一貫したスライディングドア機構の機能性を殆ど確保できないか、或いは不十分となる。
【００１２】
本発明の目的は、既存の装置を改良して、スライディングドアをできるだけ簡単にロック及びロック解除できるスライディングドアシステムを提供することである。
【課題を解決するための手段】
【００１３】
この目的は、本発明に係る、請求項１記載のスライディングドア閉装置、及び請求項１８記載のスライディングドア閉方法により達成される。
【００１４】
また、本発明の有利な実施例及び改良が、請求項２乃至１７、１９、２０の要件となっている。
【００１５】
特に、本発明は、スライディングドアのうちの、動かない部分に装着した閉機構を用いたスライディングドア構造を有しており、該閉機構はハイブリッド構造となっていて、特には、他の外部手段にて作動されるものでないスライディングドアにおいて適用されるが、それのみに適用されるものではない。
【００１６】
なお、本発明で用いる「ハイブリッド」という用語は、特に、機械式または気圧式構成要素を有する電子的または電磁的構成要素の相互作用を指すものである。
【発明の効果】
【００１７】
このような手段により、外的要因の変数が欠けるような事態になっても所望の機能性を確保し、また、スライディングドアを閉じた時に高い安全性を確保するために特別に最適化した構造を有するスライディングドアシステムが構築される。
【００１８】
また、有利な点として、このハイブリッド構造は、作動上の電磁機構をもととして、装置の外的環境に適合したフレキシブルな機能性を確立する閉技術を提供する。
【００１９】
これには、スライディングドアに特別な構造を加えなくても、閉手段を実現できるという利点がある。スライディングドアそのものは、好ましくは移動の案内手段を具備している。このような本発明の改良により、スライディングドア材料とは別にロック用構成手段を追設する必要がないので、多くの異なったスライディングドアの材料を用いることができる。
【００２０】
特に好適な戸の材料としては、ガラス、木材、プラスチック、金属、防犯材、防火材、混合材がある。
【００２１】
本発明の特別な推奨例においては、スライディングドアシステムのシステムに関連する機能性に必要な外部よりの信号の全てが欠損した場合に、ロックしたスライディングドアをロック解除する機構が備えられている。
【００２２】
効果を示す状況としては、例えば、室内防犯システムの例がある。この室内防犯システムを、他にもいろいろあるが、外部よりのトリガー信号により、多目的室におけるスライディングドアの一つまたは全てを閉じるように室内防犯システムを設計した場合には、予期せず長い間外部よりの信号が届かない場合に、各スライディングドアの機能が問題となる。
【００２３】
本発明のスライディングドア閉装置は、例えば停電時でもスライディングドアをロック解除して、該スライディングドアにて境界を画される部屋内にいた人や動物が部屋から出られるようにする。この状況を生じさせることは、人や動物を保護する必要が生じた場合に非常に重要なことである。
【００２４】
なお、ここで「部屋」という語句は、例えば、事務所、住居部屋、商用空間、公共施設、動物飼育用の隔離領域等である。
【００２５】
また、スライディングドアシステムがシステム関係の機能を発揮するのに必要な外部よりの信号は、どのような様式や形式のものでもよく、信号値について暗号化したものを使用してもよいし、暗号化しないものを使用してよい。
【００２６】
本発明のさらなる効果や実際的な改良については、以下の、図面及び従属項について言及した本発明の推奨例の説明により探知することができる。
【発明を実施するための最良の形態】
【００２７】
本発明に係る図示された推奨装置は、少なくとも一つのキャリッジ１を用いて、スライディングドアを、壁や天井の下方に取り付けた滑走レール４に対して、平行に摺動可能とした構造となっている。ここで、滑走レールは固定されており、Ｕ字断面４を有していて、そのＵ字断面内にて、ローラ７に支持されたキャリッジ１が、滑走レールの長手方向に沿って移動可能となっている。Ｕ字断面のうち、閉じていない部分については、以下、滑走レールの隙間８とする。該隙間は、好ましくは、床に向かって下向きとなっていて、この滑走レールの隙間を介して、キャリッジとスライディングドアとの間の接続要素により、効果的な接続がなされている。
【００２８】
このような、キャリッジに取り付けたスライディングドアの吊持構造により、メンテナンスが極めて容易で、製造上も簡単なスライディングドア装置を提供できる。更に、滑走レール内にキャリッジを配置することで、このような装置構想に必要なスペースが、滑走レールの外側に沿ってキャリッジを移動させ、かつ、接続要素をキャリッジとスライディングドアとの間のキャリッジ周りに配設した構造の装置に必要なスペースに比べて、非常に小さくなるという効果をもたらす。
【００２９】
別の効果的な実施例として、スライディングドア下方の底部にもまた、少なくとも一つのキャリッジを備えた第二滑走レールを設ける。スライディングドアの下縁に配置した第二滑走レールの利点は、滑走レールに沿ったスライディングドアの移動行程をより安定させることである。
【００３０】
前記キャリッジは、好ましくは、コンパクトな矩形体の前後に、両端にローラを付けた車軸を二つ有している。該矩形体の、長手方向に沿っての各側には切欠を設けており、その幾何学的形状を、好ましくは扇形状としている。その扇形状は、前記ローラの直径の大きさに応じた円の直径により決まる。
【００３１】
この結果、キャリッジに取り付けた、好ましくは全部で四つのローラが、該矩形体内に延設され、これにより、完成後のキャリッジが極めてコンパクトな構造となるようにしている。ローラの外面と矩形体の切欠との間の隙間は、数ｍｍ程度とするのが好適であり、特には、０．１〜１００ｍｍ程度とし、１ｍｍ〜３０ｍｍの間の値が特に好適である。
【００３２】
キャリッジの底部には、内側に向けて螺子溝を延設しており、これによりスライディングドアに装着された接続要素が、螺子状の接続部材を介して、恒常的かつ確実にキャリッジに当接するものとなる。該接続部材は、スライディングドアと常時接触しているので、固定された滑走レールに対しどのようにキャリッジを移動しても、その移動にスライディングドアが連動する。
【００３３】
スライディングドアシステムの安定性を向上すべく、好ましくは、一つの滑走レール内に全部で二つのキャリッジを配設する。通例の如く、キャリッジの絶対数を決定する究極の基準は、滑走レールの長さ、及び／または、スライディングドアの重量に依拠するものである。
【００３４】
更に、滑走レール毎の少なくとも一つのキャリッジに、小さな磁石を固設するとともに、両端面の一方に孔を設けている。スライディングドアをロックする際は、この孔により、滑走レールに取り付けた矩形の電気機械式ユニットにより作動するボルトで係止する。これにより、ボルトに係止したキャリッジの自由度を消去し、スライディングドアを、滑走レール内のその位置に保持するのである。
【００３５】
滑走レール内の滑走面は、滑走レールの全長にわたって延伸される二つの短い突起となっていて、これら二つの突起を、Ｕ字状の滑走レールの二つの壁の端部にて互いに対向させ、かつ、その長手方向に沿って、互いに接触することのないようにすることで、滑走面間に隙間を設けている。キャリッジは、このような滑走レール、或いはこれに属する滑走面に合った構造とすることで、滑走レール内を十分に移動可能とされる。滑走レールの滑走面は、キャリッジのローラの低摩擦回転が可能なものとなっている。
【００３６】
滑走面同士の隙間は、最低限、滑走面内に配置したキャリッジとスライディングドアの接続要素との間に設ける螺子状接続部材に全く干渉することのない大きさに設定される。
【００３７】
また、キャリッジの自由度は、滑走レールに沿って設けられた少なくとも二つの端片により制限されている。
【００３８】
特に推奨される実施例として、滑走レールをアルミニウムとする。このようなアルミニウム製滑走レールは、特に軽量なユニットとなる一方で、滑走レールがＵ字状の外郭を有する結果、高いねじれ剛性を有する。
【００３９】
このことは更に、スライディングドアシステムが本来の機能を果たさなくなるような使い方をしている間にも、ローラを保持する滑走レールが変形することなく、重いスライディングドアでも該ローラに取り付けることができるのである。
【００４０】
滑走レールは、アングルブラケットの締結により、負荷支承要素に取り付けられる。ここで、特に推奨される実施例として、少なくとも二つのアングルブラケットを、キャリッジにおける選択した端点に相当する、滑走レール沿いの二つの位置に締結する。この方法において、キャリッジの水平方向の自由度を制限すべく、該アングルブラケットに前述の端片を取り付けることができる。こうして、該端片を特にすっきりと見栄えよく装着させることができる。
【００４１】
原則的に、端片は、Ｕ字状の外郭における二つの長手側部のうち一方に設けた孔を介して、滑走レール沿いのどの所望位置でも装着できるので、例えば戸引き範囲の変化等によって、周囲の状況に変化が生じても、その後の状況に対処できる。
【００４２】
ロック時に少なくとも一つのキャリッジをブロックする電気機械式ユニットは、好ましくは、天井の下方に装着した滑走レールの高さに装着するものとする。そして、床上に他の滑走レールを配した場合にも、もう一つの電気機械式ユニットを設け、ロック位置にある時に、この滑走レールの少なくとも一つのキャリッジをブロックすることができる。
【００４３】
他の実施例として、電気機械式ユニットを滑走レールに直接取り付ける。
【００４４】
この電気機械式ユニットは、好ましくは、スライディングドアの組立体を一旦取り付けるだけで、即ち、取り付け位置に取り付けたガイドレールに沿ってスライディングドアが移動可能となった時点で、装着されてしまうものとしており、その後、二つの端片を付設し、スライディングドアの引き代により、端片の終端位置をきめる。
【００４５】
その後、スライディングドアを、引き代がなくなる終端位置に配置する。このスライディングドアの位置は、ロックした時にこれ以上スライディングドアを動かせないという位置に該当する。この位置にスライディングドアがある時、少なくとも一つのキャリッジが端片に当接しており、このロックに用いられるキャリッジの孔の正確な位置は、キャリッジが端片に当接する側に設定される。
【００４６】
次に、滑走レール上のキャリッジにおける孔の上下延出高に合わせて、滑走レールに、キャリッジの孔の口径に合わせて口径を設定した孔を設け、これら二つの対向状の孔を、その接続線に合わせて、正確に中心位置を合わせる。
【００４７】
矩形の電気機械式ユニットの金属製ハウジングの端面には、円形孔を設け、ここから端面へとボルトを鉛直方向に延設可能としている。該ボルトを該ハウジングより突出させるために、電気機械式駆動を用いるものであり、これは、外部よりの制御信号への反応によりなされる。ボルトが、その待機位置、即ち、ボルトが完全にハウジング内に引き込まれた位置にない場合には、スプールより突出する際のボルトの移動に抗するように、弾性力がボルトに作用する。この結果、該待機位置よりボルトを排出する力が、弾性力と反対方向に作用する。ここで、弾性力とは、バネにより発生する力だけでなく、同様の効果を発生させることのできる力であればよく、例えば、気圧式の手段を用いてもよい。
【００４８】
他の特別に推奨される実施例においては、外部よりの信号として、定電流を用いる。外部よりの信号は、本発明に係る制御信号の、特に推奨される例である。電気機械式ユニットの内側装着したスプールに、この定電流が供給され、これにより、電圧を誘発する。この物理的な行程により生じるロレンツ力を指向することにより、スプール内の待機位置にあるボルトを、該スプール外の自由度に応じて部分的に突出させ、これにより、ハウジング外に出すものとしている。ボルトは、その終端位置、即ち、スプール外の最大距離を越えた時点の位置が、十分に、キャリッジの孔のみならず、滑走レールの孔をも通過するように、寸法設定されている。
【００４９】
外部よりの信号（本実施例では定電流）が電気機械的ユニットに存在している間は、ボルトはこの終端位置にあり、スライディングドアはロックされている。
【００５０】
これにより、本発明に係る特に効果的な実施例が生み出され、これは、外部よりの信号が消えた場合にボルトが弾性力のみで残存可能となるようにスライディングドアシステムが構成されていることによっている。この特に効果的な取り組みの結果として、外部よりの信号が消えると、この状況において、ボルトが弾性力により待機位置へと戻ることから、スライディングドアがロック解除されるのである。
【００５１】
他の実施例として、前記のボルト作動に加えて、機械式装置を電気機械式ユニットに取り付け、これにより、外部よりの信号とは別に、手動によるスライディングドアのロック解除を可能とする。この目的のため、矩形ハウジングの底部にスリット状の開口を設け、ここから、１０ｍｍ程度の長さの細いピンを延出する。該ピンの、スリット状開口の長手方向に沿った動きにより、ボルトは、スプール内のその待機位置に至るまで、機械的に収縮する。
【００５２】
この、スライディングドアの手動ロック解除用のピンには、螺子溝を設け、該手動のロック解除手段を作動させる追加手段を該螺子溝に装着して、該ピンを延長可能とする。
【００５３】
本発明に係る他の特に推奨される実施例としては、キャリッジに締止した磁石により電気機械式装置内に電圧を発生させるだけで、ロック作動するものとしており、この目的のため、該キャリッジは終端位置に配置するものである。
【図面の簡単な説明】
【００５４】
【図１】本発明に係る装置の略図。
【図２】図１に示す該装置の断面図。
【符号の説明】
【００５５】
１      キャリッジ
２      滑走レールの孔
３      キャリッジの孔
４      滑走レール
５      締止したアングルブラケット
６      端片
７      キャリッジのローラ
８      隙間
【図１】
2006509935.tif 000003
【図２】
2006509935.tif 000004
【国際調査報告】
2006509935.tif 000005
2006509935.tif 000006
2006509935.tif 000007
2006509935.tif 000008
2006509935.tif 000009
2006509935.tif 000010